(57)【要約】【課題】歯科治療で撮影する口腔内写真を患者ごとに効率良く管理することができ、既に導入済の管理システムに利用可能な歯科用口腔内写真管理システムを提供する。【解決手段】患者の基本情報を埋め込んでバーコードを作成する。患者の口腔内を撮影する口腔内カメラを備える。患者の情報を管理する管理ソフトが搭載されたパソコン端末を備える。口腔内カメラにて患者のバーコードを撮影するバーコード撮影手段１０を構成する。患者の口腔内を撮影する口腔内撮影手段２０を構成する。パソコン端末に撮影データを移動する撮影データ移動手段３０を構成する。バーコード別に患者の口腔内写真を整理する口腔内写真整理手段４０を構成する。【選択図】  図２
0003182751.tif 000002
【実用新案登録請求の範囲】
【請求項１】
患者の基本情報を埋め込んで作成したバーコードと、患者の口腔内を撮影する口腔内カメラと、バーコードを識別して患者の情報を管理する管理ソフトが搭載されたパソコン端末と、を備えた歯科用口腔内写真管理システムであって、
口腔内カメラにて患者のバーコードを撮影するバーコード撮影手段と、
バーコード撮影手段の後にそのバーコードの患者の口腔内を連続撮影する口腔内撮影手段と、
口腔内撮影手段の後に口腔内カメラからパソコン端末に撮影データを移動する撮影データ移動手段と、
撮影データが移動されたパソコン端末の管理ソフトにてバーコード別に患者の口腔内写真が整理される口腔内写真整理手段と、を有することを特徴とする歯科用口腔内写真管理システム。
【請求項２】
前記口腔内写真整理手段は、前記バーコード撮影手段と、前記口腔内撮影手段とで撮影されたデータが前記パソコン端末のモニターに表示されたときに、前記バーコード別に該データが整理されるように構成した請求項１記載の歯科用口腔内写真管理システム。
【請求項３】
前記口腔内写真整理手段は、前記口腔内カメラで記録されるデジタル・タイムスタンプによって時系列に整理されるように構成した請求項１又は２記載の歯科用口腔内写真管理システム。
【請求項４】
前記バーコード撮影手段は、前記パソコン端末のモニターに表示されたバーコード、又は患者のカルテに表示されたバーコードを撮影するように構成した請求項１記載の歯科用口腔内写真管理システム。
【考案の詳細な説明】
【技術分野】
【０００１】
本考案は、歯科治療の過程で撮影した患者の口腔内写真を合理的に管理することができる歯科用口腔内写真管理システムに関する。
【背景技術】
【０００２】
従来、歯科医院では、治療に伴って口腔内写真を撮る場合がある。この場合、一人の患者に対して１０枚程度撮影することになり、撮影した写真をパソコンで管理する際にそれぞれの患者ごとのフォルダに分類し、あるいはシステムで管理された患者ごとのファイルに登録する作業が必要になっている。このような写真の整理は、これまで手作業にて行われているため、極めて多くの手間や時間を要するものであった。
【０００３】
一方、特許文献１に、患者情報の管理を効率的に行う患者情報管理システムが記載されている。このシステムによると、大学病院や総合病院等のように、診療課を多数備えた病院の患者情報を効率的に行うシステムになっている。
【０００４】
また、特許文献２は、歯科口腔内撮影用のデジタルカメラを用いて、歯の色の測色を行うなどのシステムが記載されている。すなわち、患者の歯の写真を撮り終えた後、日時、歯牙、術者、歯科医院といった撮影属性データと、撮影画像データを関連付けて撮影画像データ記憶部に記憶する歯科口腔内写真撮影の手順が示されている。
【０００５】
この撮影手順の場合、規格撮影は６枚で終了し、次がバーコード撮影となっている。このバーコード撮影では、バーコードの照準を表示しパーソナルコンピュータ側のモニターにその旨を表示し、シャッターを押すと、撮影補助手段により撮影画像データ記憶部からパーソナルコンピュータにバーコードデータが無線転送されるものである。そして、この撮影補助手段が患者バーコードデータベースに関する撮影属性データからバーコードデータに対応した患者名を検索特定し、その患者の撮影既得撮影属性データをデジタルカメラ側に無線転送する手順になっている。
【先行技術文献】
【特許文献】
【０００６】
【特許文献１】特許第４７４４４６２号公報
【特許文献２】特開２００５−６３１号公報
【考案の開示】
【考案が解決しようとする課題】
【０００７】
ところが、特許文献１に記載された従来のシステムでは、診察カードの情報を送出する受付用端末や、患者別フォルダをデータベース化して保存する管理サーバ、更には、患者情報を更新する診察用端末などの数多くの装置をシステム化することで、大学病院や総合病院等のように、診療課を多数備えた病院の患者情報を効率的に行うシステムなので、歯科医のような特定の診療を行う治療に利用するには多くの課題があるシステムであった。
【０００８】
すなわち、歯科医院では、個別に異なった管理システムを導入しており、大学病院や総合病院等のように共通の管理システムを利用することは困難な状況にある。しかも、歯科治療で撮影する口腔内写真は、患者ごとに同じような写真が繰り返し撮影されるので、患者ごとに仕分けする写真データが極めて多くなり、仕分け作業は多くの手間や時間を要するものであった。
【０００９】
また、特許文献２に記載された歯科口腔内写真撮影の手順では、常にデシタルカメラとパーソナルコンピュータとの情報を双方が無線で転送するといった特殊なシステムを利用するので導入コストが極めて高くなる。しかも、既に歯科医院に導入されている管理システムに利用することはできない。
【００１０】
そこで本考案は上述の課題を解消すべく案出されたもので、歯科治療で撮影する口腔内写真を患者ごとに効率良く管理することができ、しかも、既に導入済の管理システムに利用可能な歯科用口腔内写真管理システムの提供を目的とするものである。
【課題を解決するための手段】
【００１１】
本考案の第１の手段は、患者の基本情報を埋め込んで作成したバーコード１と、患者の口腔内を撮影する口腔内カメラ２と、バーコード１を識別して患者の情報を管理する管理ソフトが搭載されたパソコン端末３と、を備えた歯科用口腔内写真管理システムであって、口腔内カメラ２にて患者のバーコード１を撮影するバーコード撮影手段１０と、バーコード撮影手段１０の後にそのバーコード１の患者の口腔内を連続撮影する口腔内撮影手段２０と、口腔内撮影手段２０の後に口腔内カメラ２からパソコン端末３に撮影データを移動する撮影データ移動手段３０と、撮影データが移動されたパソコン端末３の管理ソフトにてバーコード１別に患者の口腔内写真が整理される口腔内写真整理手段４０と、を有することにある。
【００１２】
第２の手段における前記口腔内写真整理手段４０は、前記バーコード撮影手段１０と、前記口腔内撮影手段２０とで撮影されたデータが前記パソコン端末３のモニター３Ａに表示されたときに、前記バーコード１別に該データが整理されるように構成している。
【００１３】
第３の手段における前記口腔内写真整理手段４０は、前記口腔内カメラ２で記録されるデジタル・タイムスタンプによって時系列に整理されるように構成したものである。
【００１４】
第４の手段の前記バーコード撮影手段１０は、前記パソコン端末３のモニター３Ａに表示されたバーコード１、又は患者のカルテに表示されたバーコード１を撮影するように構成したシステムである。
【考案の効果】
【００１５】
本考案の請求項１のごとく、バーコード撮影手段１０と、口腔内撮影手段２０と、撮影データ移動手段３０と、口腔内写真整理手段４０とにより、歯科治療で撮影する口腔内写真を患者ごとに効率良く管理することができる。
【００１６】
しかも、請求項２のように、口腔内写真整理手段４０は、撮影されたデータがパソコン端末３のモニター３Ａに表示されたときに、バーコード１別に該データが整理されるように構成しているので、各歯科医等が導入した管理ソフトが個別に異なっていても、バーコード１を識別できる管理ソフトであるなら使用可能になるものである。
【００１７】
また、請求項３のごとく、口腔内写真整理手段４０は、前記口腔内カメラ２で記録されるデジタル・タイムスタンプによって時系列に整理されるように構成しているので、一般に使用されているデジタルカメラが使用可能になっている。したがって、従来のこの種のシステムに使用されているように、デシタルカメラとパーソナルコンピュータとの情報を双方が無線で転送するといった特殊なカメラは必要なくなった。
【００１８】
更に、請求項４のように、バーコード撮影手段１０は、パソコン端末３のモニター３Ａに表示されたバーコード１、又は患者のカルテに表示されたバーコード１を撮影するように構成しているので、極めて簡単な撮影となり、多数の患者でも容易に撮影することができる。
【００１９】
このように本考案によると、歯科治療で撮影する口腔内写真を患者ごとに効率良く管理することができ、しかも、既に導入済の管理システムに利用可能になるものである。
【図面の簡単な説明】
【００２０】
【図１】本考案システムの一実施例を示す構成図である。
【図２】本考案システムの手段を示すフロー図である。
【図３】本考案システムで撮影したデータ例を示す概略図である。
【図４】本考案システムのモニターの表示例を示す図である。
【考案を実施するための形態】
【００２１】
本考案システムの主な構成は、バーコード１、口腔内カメラ２、パソコン端末３にて構成されている（図１参照）。
【００２２】
バーコード１は、患者の基本情報を埋め込んだもので、パソコン端末３に搭載された管理ソフトの患者の情報として構成する。このバーコード１とは、本考案では、一次元コードからＱＲコード（登録商標）と称する２次元コードなど、光学式マーク認識手段に使用する情報コードを総称するものとする。特にＱＲコード（登録商標）は、一次元コードに比べて小さいスペースで格納できる情報量が多いことや、日本語のかな・漢字文章にも対応可能なことなどが優れている。図示例のバーコード１はＱＲコード（登録商標）を示している（図３、図４参照）。
【００２３】
口腔内カメラ２は、患者の口腔内を撮影するデシタルカメラであり、口腔内を専用に撮影する口腔内カメラ２や、一般のデジタルカメラを利用した口腔内カメラ２でも使用可能である。更に、一般のデジタルカメラにおいても、一眼レフタイプからコンパクトタイプに至るまで任意に選択することができる。
【００２４】
パソコン端末３は、バーコード１を識別して患者の情報を管理する管理ソフトが搭載される。既に搭載済の管理ソフトを利用する場合、バーコード１の読み取りが可能な管理ソフトはそのまま利用することができる。また、バーコード１の読み取りができない管理ソフトであっても、バーコード１読み取り機能を追加するだけで使用可能になる。
【００２５】
本考案システムでは、バーコード撮影手段１０、口腔内撮影手段２０、撮影データ移動手段３０、口腔内写真整理手段４０を有している（図２参照）。
【００２６】
バーコード撮影手段１０は、口腔内カメラ２にて患者のバーコード１を撮影する手段である。このとき、撮影するバーコード１は、パソコン端末３のモニター３Ａに表示されたバーコード１を撮影する（図４参照）。又は、患者のカルテ（図示せず）に表示されたバーコードを撮影しても良い。いずれにしても、患者が変わるたびに、最初にその患者のバーコード１を撮影することになる。
【００２７】
口腔内撮影手段２０は、バーコード撮影手段１０の後に、そのバーコード１の患者の口腔内を連続撮影する手段であり、患者が変わるごとに、バーコード撮影手段１０から口腔内撮影手段２０が繰り返される。したがって、撮影後は、患者のバーコード１の後に続いてその患者（患者Ａ、患者Ｂ、患者Ｃ〜）の口腔内写真が連続する画像データ４が口腔内カメラ２のメモリー媒体に保存されるものである（図３参照）。
【００２８】
撮影データ移動手段３０は、口腔内撮影手段２０の後に口腔内カメラ２からパソコン端末３に撮影データを移動する手段である。この移動手段は、例えば、ＵＳＢケーブルを利用する手段や、口腔内カメラ２のメモリー媒体を直接パソコン端末３に接続する手段、あるいは無線ランやクラウドコンピューティングサービスなどを利用した移動など、任意の移動手段が可能である。
【００２９】
口腔内写真整理手段４０は、撮影データが移動されたパソコン端末３の管理ソフトにてバーコード１別に患者の口腔内写真を整理する手段である。この手段は、バーコード撮影手段１０と、口腔内撮影手段２０とで撮影されたデータがパソコン端末３のモニター３Ａに表示されたときに、バーコード１別に画像データ４が整理されるように構成している。このとき、バーコード１から画像データ４に至る順序は、口腔内カメラ２で記録されるデジタル・タイムスタンプによって時系列に整理されるものである。
【００３０】
このデジタル・タイムスタンプとは、パソコンやデジタルカメラ等にデータが保存された日時がファイル属性の一部として記録された時刻を指す。また、場合によって時刻ではなく、単なるデータの順序付けになる場合もある。いずれにしても、パソコンやデジタルカメラに予め搭載されている機能であり、この機能を利用してバーコード１別に画像データ４を整理するものである。
【００３１】
尚、図示例の各構成は、本考案の一実施例に過ぎず、本考案の要旨を変更しない範囲での構成の変更は自由である。
【符号の説明】
【００３２】
１  バーコード
２  口腔内カメラ
３  パソコン端末
３Ａ  モニター
４  画像データ
１０  バーコード撮影手段
２０  口腔内撮影手段
３０  撮影データ移動手段
４０  口腔内写真整理手段
【図１】
0003182751.tif 000003
【図２】
0003182751.tif 000004
【図３】
0003182751.tif 000005
【図４】
0003182751.tif 000006